(57)【要約】【課題】  ユーザの使い勝手を向上した情報処理装置および制御システムを提供する。【解決手段】  制御システムは、携帯端末と情報処理装置により構成される。情報処理装置は、携帯端末を用いてリモートコントロール操作可能であり、携帯端末から送信された制御情報と携帯端末の固有情報を受信する受信部と、複数のデータを記録する記録媒体と、記録媒体に記録されたデータを再生する再生部と、複数の携帯端末の固有情報と複数のデータ毎の再生履歴情報とを関連づけた履歴データを記憶可能なメモリとを備える。さらに、本装置は、受信部により複数のデータの中の１つの再生を要求する制御情報と固有情報を受信したとき、履歴データから固有情報に対応した再生履歴情報を読み出し、再生履歴情報に応じてデータの再生を行うように再生部を制御する制御部を備える。あるいは、記録媒体およびメモリをサーバに設け、複数の情報処理装置がサーバの記録媒体および前記メモリからデータを読み出し可能に構成する。【選択図】  図１
2006311165.tif 000002
【特許請求の範囲】
【請求項１】
携帯端末を用いてリモートコントロール操作可能な情報処理装置であって、
携帯端末から送信された制御情報と前記携帯端末の固有情報を受信する受信部と、
複数のデータを記録する記録媒体と、
前記記録媒体に記録されたデータを再生する再生部と、
複数の携帯端末の固有情報と前記複数のデータ毎の再生履歴情報とを関連づけた履歴データを記憶可能なメモリと、
前記受信部により前記複数のデータの中の１つの再生を要求する制御情報と固有情報を受信したとき、前記履歴データから前記固有情報に対応した前記データの再生履歴情報を読み出し、前記再生履歴情報に応じて前記データの再生を行うように前記再生部を制御する制御部と、
を備えていることを特徴とする情報処理装置。
【請求項２】
前記制御部は、前記再生履歴情報として前回再生を終了した終了位置を示す情報が記憶されている場合は前記データを前記終了位置から再生し、前記再生履歴情報として前記データが未視聴であることを示す情報が記憶されている場合は前記データを先頭から再生するように制御することを特徴とする請求項１に記載の情報処理装置。
【請求項３】
前記再生部によりデータを再生しているときに、前記受信部が前記携帯端末から再生終了指示を受信すると、前記制御部は前記再生部による前記データの再生を停止し、再生を停止した位置を示す情報を前記データの再生履歴情報として更新することを特徴とする請求項２に記載の情報処理装置。
【請求項４】
前記履歴データとして、前記再生履歴情報とともにデータ再生が可能か否かを示す情報を記憶することを特徴とする請求項１ないし３のいずれかに記載の情報処理装置。
【請求項５】
前記履歴データとして、前記再生履歴情報とともにデータを消去可能か否かを示す情報を記憶することを特徴とする請求項１ないし３のいずれかに記載の情報処理装置。
【請求項６】
前記固有情報は、前記携帯端末の電話番号または電子メールアドレスまたは製造番号であることを特徴とする請求項１ないし５のいずれかに記載の情報処理装置。
【請求項７】
携帯端末と、第1の情報処理装置と、前記第1の情報処理装置を含む複数の情報処理装置との間でデータの送受信が可能なサーバと、を備えている制御システムであって、
前記第1の情報処理装置は、前記携帯端末から送信された情報を受信する第1の受信部と、前記サーバとの間でデータを送受信する第1の送受信部と、前記サーバから受信したデータを再生する第1の再生部と、を備え、
前記サーバは、複数のデータを記録する記録媒体と、複数の携帯端末の固有情報と前記複数のデータ毎の再生履歴情報とを関連づけた履歴データを記憶可能なメモリと、前記複数の情報処理装置との間でデータの送受信が可能な送受信部と、を備え、
前記第1の情報処理装置は、前記第1の受信部により前記携帯端末から送信された固有情報と前記複数のデータの中の１つの再生を要求する制御情報とを受信すると、前記第1の送受信部により前記固有情報と前記制御情報を前記サーバに送信し、
前記サーバは、前記第1の情報処理装置から送信された前記固有情報と前記制御情報を受信すると、
前記履歴データから前記固有情報に対応した前記データの再生履歴情報を読み出し、前記再生履歴情報に応じて前記データを前記記録媒体から読み出し、読み出した前記データを前記送受信部により前記第1の情報処理装置に送信し、
前記第1の情報処理装置は、前記第1の送受信部により受信した前記データを前記第1の再生部により再生することを特徴とする制御システム。
【請求項８】
前記第1の再生部によりデータを再生しているときに、前記第1の受信部が前記携帯端末から再生終了指示を受信すると、前記第1の再生部は前記データの再生を停止し、前記第1の送受信部は再生を停止した位置を示す情報を前記サーバに送信し、前記サーバは前記データの再生履歴情報を更新することを特徴とする請求項７に記載の情報処理装置。
【請求項９】
前記サーバは第2の情報処理装置との間でデータの送受信が可能であって、
前記第2の情報処理装置は、前記携帯端末から送信された情報を受信する第２の受信部と、前記サーバとの間でデータを送受信する第２の送受信部と、前記サーバから受信したデータを再生する第２の再生部と、を備え、
前記第２の受信部により前記携帯端末から送信された固有情報と前記複数のデータの中の１つの再生を要求する制御情報とを受信すると、前記第1の送受信部により前記固有情報と前記制御情報を前記サーバに送信し、前記サーバからデータを受信することを特徴とする請求項７に記載の制御システム。
【請求項１０】
前記固有情報は、前記携帯端末の電話番号または電子メールアドレスまたは製造番号であることを特徴とする請求項７ないし９のいずれかに記載の情報処理装置。
【発明の詳細な説明】
【技術分野】
【０００１】
本発明は、他の装置の制御に使用可能な情報処理装置および制御システムに関する。
【背景技術】
【０００２】
TV放送受信機内に番組視聴履歴情報を記録し、この情報を携帯電話に転送することにより、携帯電話から予約を行うことを可能とするTV番組予約システムが提案されている（例えば、特許文献１参照）。
【０００３】
また、特許文献２に、携帯電話端末を用いて、テレビ受信機の遠隔制御を行う遠隔制御システムが開示されている。このシステムでは、携帯電話端末からテレビ受信機に向けて、携帯電話端末の識別情報と制御内容を示す情報を送信し、テレビ受信機のメモリに利用者毎の制御履歴を記憶し、好みのチャンネルの番組を画面に表示する。
【０００４】
【特許文献１】特開２００１−１０３４０６号
【特許文献２】特開２０００−３０８１６４号
【発明の開示】
【発明が解決しようとする課題】
【０００５】
ＡＶ機器やＰＣ等の情報処理装置は、複数の記録媒体からデータを再生したり、情報を受信したりするなど、複数の機能を備えていることが多く、ユーザ毎に１つの制御履歴を記憶するだけでは使い勝手が悪く、複数の機能に対応して制御履歴を記憶管理することが求められている。
【０００６】
また、家庭内や会社内に複数の情報処理装置を所有し、ユーザが状況に応じて、それらのうちの１つを使用することも多い。このような場合、別の情報処理装置を用いるごとに、前に使用していた情報処理装置での使用状況と同じ状況にするために、ユーザが改めて設定等しなければならないのでは、使い勝手が悪いという問題がある。
【０００７】
そこで、本発明は、ユーザの使い勝手を向上した情報処理装置および制御システムを提供することを目的とする。
【課題を解決するための手段】
【０００８】
本発明にかかる制御システムは、携帯端末と情報処理装置により構成される。情報処理装置は、携帯端末を用いてリモートコントロール操作可能であり、携帯端末から送信された制御情報と携帯端末の固有情報を受信する受信部と、複数のデータを記録する記録媒体と、記録媒体に記録されたデータを再生する再生部と、複数の携帯端末の固有情報と複数のデータ毎の再生履歴情報とを関連づけた履歴データを記憶可能なメモリとを備える。さらに、本装置は、受信部により複数のデータの中の１つの再生を要求する制御情報と固有情報を受信したとき、履歴データから固有情報に対応した再生履歴情報を読み出し、再生履歴情報に応じてデータの再生を行うように再生部を制御する制御部を備える。あるいは、記録媒体およびメモリをサーバに設け、複数の情報処理装置がサーバの記録媒体および前記メモリからデータを読み出し可能に構成する。
【発明の効果】
【０００９】
本発明によれば、ユーザの使い勝手を向上した情報処理装置および制御システムを提供することができる。
【発明を実施するための最良の形態】
【００１０】
図１は、携帯端末を用いた制御システムの一例を示す概略構成図である。携帯端末１とAV機器２、表示装置３により構成される。なお、本例では、携帯端末１を用いて制御する被制御機器をAV機器としているが、これに限定するものではなく、AV機器以外の記録再生装置や情報処理装置、その他の装置を制御する場合に本発明を適用しても良い。
【００１１】
まず、携帯端末１の概略構成について説明する。キー入力部１０１は、数字キーやファンクションキーにより構成されており、ユーザが文字や数字などのデータ入力や、指示を入力する際に用いられる。本例ではキー入力部１０１を備えるが、ユーザが指示等を入力する操作部をこれに限定するものではなく、音声入力部やタッチセンサーを代わりに備えるようにしても良い。また、複数の操作方法を組合せて用いることにより、使用形態に合わせてユーザは入力方法を選択することができる。制御部１０２は、例えばCPU（Central Processing Unit）などの処理装置により構成され、キー入力部１０１により入力された指示やメモリ１０３に保存されたプログラムに従って、携帯端末１の各構成を制御する。メモリ１０３は、例えばRAM（Random Access Memory）やハードディスクにより構成され、制御部１０２で実行されるプログラムや、他の端末の電話番号やメールアドレス等のデータ、携帯端末１の電話番号やメールアドレス、製造番号などの固有情報等が記憶される。なお、メモリ１０３は端末に内蔵されたものに限らず、着脱可能なメモリカードや外部より接続された記憶装置等で実現してもよい。
【００１２】
無線信号送受信部１０４は、例えば、IrDA（Infrared Data Association）などの赤外線通信や、IEEE802.11等の無線ＬＡＮ、Bluetoothなどによりリモコン信号を送信する。通信部１０５は、例えばＣＤＭＡ（Code Division Multiple Access）方式などの通信方式で電話通信やメール送受信を行うための通信部である。表示部１０６はユーザへのメッセージ等を表示するディスプレイ装置である。
【００１３】
次に、AV機器２の構成について説明する。無線信号受信部２０１は、携帯端末１や他のリモコン装置から送信されたリモコン信号を受信する。制御部２０２はCPUなどにより構成され、無線信号受信部２０１により受信したリモコン信号やメモリ２０３に記憶されたプログラムに応じてAV機器２の各構成を制御する。メモリ２０３は、例えばRAMやハードディスクであり、制御部２０２で実行されるプログラムや、データ記録媒体２０５に記憶されたコンテンツの種類、操作履歴データなどを記憶する。操作履歴データとは、複数の携帯端末や他のリモコン装置の固有情報と、これら携帯端末等から送信された操作情報を対応させて記憶させたデータである。
【００１４】
データ再生部２０４は、データ記録媒体２０５に記録されたデータを再生するドライブ装置である。データ再生部２０４により再生されたデータは表示装置３に出力される。なお、データ記録媒体２０５は、着脱可能なDVD（Digital Versatile Disk）等の媒体であっても良いし、ハードディスクであっても良い。また、本例ではデータ再生部２０４を備えているが、これに限定するものではなく、データ記録媒体２０５にデータを記録可能なデータ記録再生部を備えるようにしても良い。これにより、例えば、AV機器２がテレビ放送受信チューナを備えている場合、チューナにより受信した放送番組をデータ記録再生部により記録媒体に記録することができる。また、データ再生部をAV機器２とは別に設け、AV機器２と有線あるいは無線により接続して用いるようにしても良い。また、データ再生部２０４とデータ記録媒体２０５を一体型にし、AV機器２に着脱することができるように構成しても良い。
【００１５】
ユーザが携帯端末１を利用して、AV機器２に保存されている番組を再生する場合を例にして、制御方法を説明する。キー入力部１０１を介してユーザからリモコンモードの起動指示が制御部１０２に入力されると、制御部１０２はリモコンモードを起動させ、メモリ１０３から携帯端末１の固有情報を読み出し、無線信号送信部１０４は固有情報が付加されたリモコン信号を出力する。リモコンモードが起動されている間、ユーザは表示装置３に表示された情報を確認しながら、キー入力部１０１により所望の制御を選択する。ユーザがキー入力部１０１を用いて任意の制御を選択するごとに、無線信号送信部１０４は、選択に対応する制御信号と固有情報を含むリモコン信号を出力する。
【００１６】
図２は、AV機器２における制御手順の一例を示すフローチャートである。無線信号受信部２０１が携帯端末１から送信されたリモコン信号を受信すると（S2001）、制御部２０２はリモコン信号から携帯端末の固有情報を抜き出し、この固有情報と、メモリ２０３の操作履歴データに保存されている固有情報とを比較する（S2002）。リモコン信号に付加された固有情報が操作履歴データに記録されている場合には、図３に示すようなメニュー情報を表示装置３に出力する（S2003）。メモリ２０３に該当する固有情報がなかった場合、固有情報を操作履歴データに保存後（S2004）、メニュー情報を表示装置３に出力する（S2003）。
【００１７】
ユーザがコンテンツ再生を選択した場合（S2005）、コンテンツリストを表示装置３に出力する（S2006）。図４に、表示装置３に表示されたコンテンツリストの一例を示す。なお、このフローチャートでは、ユーザがコンテンツ再生以外のメニューを選択した場合の制御フローについては記載を省略する。
【００１８】
ユーザがコンテンツを選択すると（S2007）、制御部２０２はメモリ２０３に記憶された操作履歴データから操作情報を読み出す（S2008）。図５に操作履歴データの一例を示す。本例では、固有情報であるユーザIDとコンテンツのタイトル、視聴状況を記録している。以前に再生指示を受信したコンテンツの視聴状況には「hh:mm:ss迄視聴」等、以前どこまで視聴したかを示す情報を記録し、
再生指示を受信したことがないコンテンツの視聴状況には「未視聴」と記録する。なお、前に最後まで再生したコンテンツについては、例えば「00：00：00迄視聴」のように、コンテンツの最初の位置を視聴状況に記録する。
【００１９】
操作履歴データに基づき、選択されたコンテンツが未視聴かどうか判断され（S2009）、未視聴の場合、制御部２０２は、データ再生部２０４がデータ記録媒体２０５に保存されているコンテンツを先頭から再生するように制御する（S2010）。一方、操作履歴データに前回再生を終了した位置情報が記録されている場合には、制御部２０２は続きから再生するように制御する（S2011）。
【００２０】
なお、操作履歴データに操作情報を受信した日時を記録しておき、コンテンツの再生指示を最後に受信したときが、例えば6月や1年以上前であるときには、先頭から再生するようにしても良い。途中までコンテンツを視聴した場合であっても、視聴したのが大分前の場合にはその内容を忘れてしまっていることが多い。このように、最後に再生指示をしたときが所定以上前の場合、先頭から再生するように制御することにより、ユーザの使い勝手を向上することができる。
【００２１】
停止指示が入力されると（S2012）、再生を停止し、再生終了した位置を示す位置情報を操作履歴データに記録し（S2013）、処理を終了する（S2014）。
【００２２】
本例における制御方法では、S2012で停止指示が入力されるまで、異なる固有情報が付加されたリモコン信号を無線信号受信部２０１が受信しても、AV機器への制御指示を受け付けないようにする。ただし、制御をこれに限定するものではなく、ユーザごとに、AV機器を使用中に他のユーザからの制御受付を許可するかどうかを選択するようにしてもよい。また、複数のユーザ間で制御の優先順位を登録するようにしても良い。例えば時間帯に応じて、制御受付を優先されるユーザを登録しても良い。また、視聴履歴データに、ユーザがコンテンツごとに他の端末からの割り込み制御を許可するか否かを示す情報を登録するようにしても良い。
【００２３】
また、履歴データに、ユーザごとに各コンテンツを視聴することができるか否かを示す視聴可否情報を含めるようにしても良い。視聴可否情報は、ユーザがコンテンツごとに登録するようにしても良いし、他の方法で登録するようにしても良い。例えば、携帯端末１のユーザの年齢等の情報が携帯端末１あるいはAV機器２に登録されている場合には、その情報およびコンテンツの種類に応じて、自動的に視聴可否情報を登録しても良い。また、携帯端末１の固有情報から年齢等の加入者情報を通信部１０５を介して入手し、リモコン信号に付加してAV機器２に送信するようにしても良い。このように視聴可否情報を登録することにより、例えば、親が子供の視聴コンテンツの種類を制限することができる。
【００２４】
視聴可否情報が視聴履歴データに含まれている場合、S2006において、図６(a)に示すように、コンテンツリストに視聴可否を示す情報を含めて表示するようにしても良い。この場合、S2007において視聴不可のコンテンツが選択されると、表示装置３に「このコンテンツは再生することができません」などのメッセージを表示する。なお、図６(a)の表示例は一例であって、視聴不可のコンテンツについては、コンテンツリストに表示しないように制御しても良い。例えば図６(b)のようにマルチ画面に、視聴可能なコンテンツについては先頭部分あるいは前回視聴を停止した部分の映像を表示し、視聴不可のコンテンツについては映像の代わりにメッセージを表示するようにしても良い。
【００２５】
また、視聴履歴データに、コンテンツを消去可能かどうかを示す消去可否情報を含めるようにしても良い。例えば、S2003において「コンテンツ削除」が選択されると、表示装置３にコンテンツごとに消去可否情報を示すとともに、消去が禁止されているコンテンツが選択された場合には「削除できません」等のメッセージを表示するように制御する。これにより、誤消去を防止することができる。
【００２６】
また、AV機器２がテレビ放送受信チューナを備えている場合、チューナにより受信した放送番組を視聴履歴データに含めるようにしても良い。また、コンテンツの再生の可否と同様に、チャンネルあるいは番組ごとに視聴可否情報を登録するようにしても良い。
【００２７】
このように、ユーザから操作された情報と操作を行った携帯端末の固有情報とを関連付けて保存することにより、容易に前回の状態を復帰継続することが可能となる。また、携帯端末毎（ユーザ毎）に状態を保存することが可能であるため、ユーザが意識することなしに、個人状態を容易に復帰継続させることが出来る。
【００２８】
上記例において、記録媒体２０４が着脱可能なディスクであり、AV機器２がこのディスクを１枚しか格納できない場合、ユーザが選択されたコンテンツが記録されたディスクが装着されていない場合には、その旨をユーザに通知を行う。この場合、ユーザが該当ディスクをAV機器２に装着すると、既視聴のコンテンツであっても、先頭から再生するか、既視聴位置から再生するかの選択要求をユーザに求めることが好ましい。該当ディスクがAV機器２に装着されていない場合、ユーザがそのコンテンツを近日内に視聴している可能性が低いためである。なお、AV機器２がディスクチェンジャーを備えており、複数のディスクを格納可能の場合でも、チェンジャー内に該当ディスクが存在しなければ、その旨ユーザに通知を行う。
【００２９】
また、上記例では、記録したコンテンツ再生する場合について説明したが、これに限定するものではなく、視聴したチャンネル情報を保持し、次回の視聴開始時に同様のチャンネルを表示させることが出来る。例えば、AV機器２がハードディスクドライブとDVDドライブの複数の記録再生部と、チューナを備え放送を視聴可能な場合には、図７に示すような視聴履歴データを記憶するようにしても良い。このようなデータを記憶することにより、記録再生部によらず、また放送視聴かコンテンツの再生かによらず、以前の視聴履歴を容易に利用することができ、使い勝手を向上することができる。
【００３０】
なお、図１に示した例では、AV機器２と表示装置３は別に設けられているが、一体型であってもよい。
【００３１】
以上の例では、無線信号送信部１０４によりリモコン信号を送信し、無線信号受信部２０１により信号を受信しているが、これに限定するものではない。例えば、通信部１０５を用いてインターネット等を経由してAV機器にリモコン信号を送信するようにしても良い。この場合、AV機器２に通信部１０５と通信可能な通信部を設ける必要がある。
【００３２】
図１に示したシステムでは、AV機器２の内部に、メモリ２０３及び、データ記録媒体２０５を備えるようにしたが、これに限定するものではない。例えば、サーバ等の外部装置にこれらの構成を設けるようにしても良い。
【００３３】
図８を用いてに、サーバにメモリ等を設けた場合の制御イメージ例を説明する。ユーザは、家の2階で携帯端末１によりリモコン信号をAV機器４に向けて送信し、AV機器４によりサーバ６上に保存されているコンテンツを再生している。その後、携帯端末１を用いて視聴中の番組の再生終了指示を行う。そして1階の部屋に移動し、携帯端末１によりリモコン信号をAV機器７に向けて出力することにより、サーバ６上に保存されている番組を先ほど再生を終了したところから、AV機器７で再生する。  次に、本実施の形態の詳細を説明する。図９は、携帯端末を用いた制御システムの概略構成図である。なお、図1と同様の構成には同符号を付し、説明を省略する。
【００３４】
携帯端末１のユーザがAV機器４および表示装置５によりコンテンツの視聴を希望する場合、リモコン信号をAV機器４に向けて送信する。無線信号受信部４０１がリモコン信号を受信すると、制御部４０２は、リモコン信号に含まれる携帯端末の固有情報をサーバ６に送信するように送受信部４０４を制御する。なお、AV機器４とサーバ６の間は、送受信部４０４と送受信部６０４を介して、ネットワークで接続されている。
【００３５】
サーバ６のメモリ６０１には、図１に示したメモリ２０３と同様に、データ記録媒体６０２に記憶されたコンテンツの種類や、操作履歴データを記憶している。送受信部６０４がAV機器４から信号を受信すると、サーバ６により図２のフローチャートのS2002からS2014が実行される。
【００３６】
具体的には、送受信部６０４が固有情報を受信すると、制御部６０３は、この固有情報と一致する固有情報がメモリ６０１に記録されているか否かを確認する。メモリ６０１に該当する固有情報がなかった場合、この固有情報を操作履歴データに記憶し、メモリ６０１に記憶されたメニュー情報をAV機器４に送信する。AV機器４がメニュー情報を受信すると、制御部４０２はデータ再生部４０３を制御して、表示装置５にメニュー表示を行う。メモリ６０１に該当する固有情報があった場合も同様に、メニュー表示を行う。
【００３７】
図３に示すようなメニュー表示を見ながら、ユーザが携帯端末１をAV機器４に向けて、キー入力部１０１によりコンテンツ再生を選択すると、無線信号送受信部１０４からリモコン信号が送信される。ＡＶ機器４がリモコン信号を受信すると、送受信部４０４を介して、コンテンツ再生が選択されたことを示す制御信号が送受信部６０４に送信される。そして、制御部６０３は、メモリ６０１に記憶されたコンテンツリストを送受信部６０４によりＡＶ機器４に送信する。サーバ６に、ＡＶ機器４を介して、ユーザが選択したコンテンツの種類を示す情報が入力されると、メモリ６０１から操作履歴データが読み出される。データ記録媒体６０２から、操作履歴データに基づいてコンテンツが読み出され、読み出されたコンテンツは送受信部６０４によりＡＶ機器４に送信される。ＡＶ機器４は、サーバ６からコンテンツを受信すると、データ再生部４０３により再生し、再生したデータを表示装置５に出力する。
【００３８】
携帯端末１から再生指示がＡＶ機器４に入力されると、ＡＶ機器４はデータ再生を停止し、サーバ６に停止指示を送信する。制御部６０３は、操作履歴データに再生終了した位置を示す情報を記録し、処理を終了する。
【００３９】
携帯端末１の所有者が、別の部屋へ移動し、携帯端末１を利用してＡＶ機器７に向けてリモコン信号を出力すると、ＡＶ機器７からサーバ６に携帯端末１の固有情報を制御信号が送信される。そして、ユーザからコンテンツの再生要求が出されると、メモリ６０１に記憶された操作履歴データに基づいて、コンテンツがデータ記録媒体６０２から読み出され、ＡＶ機器７に送信される。なお、ＡＶ機器７は、ＡＶ機器４と同様の構成を備えているものとする。
【００４０】
この場合に、例えば、ＡＶ機器４で再生していたコンテンツと同じコンテンツの再生をＡＶ機器７に向けて要求すると、操作履歴データからＡＶ機器４で再生を停止した位置が読み出され、停止位置から再生が開始される。
【００４１】
このように、本例によれば、操作履歴データおよびコンテンツをサーバ６に記憶するようにしているため、複数のＡＶ機器で情報を共有して使用することができる。また、ユーザの制御履歴を１つのＡＶ機器だけでなく、他のＡＶ機器で使用することができる。これにより、例えば、１つのＡＶ機器で再生していたコンテンツの続きを他のＡＶ機器で再生することができ、ユーザの使い勝手を向上することができる。また、本例では、携帯端末からリモコン信号を受信したＡＶ機器が、サーバとの間でデータの送受信を行うようにしている。そのため、携帯端末のユーザは、使用したい機器を事前に選択する必要なく、使用したい機器に向けてリモコン信号を送信するだけで、サーバに記憶してあるデータの再生を行うことができる。
【００４２】
また、本システムは、家庭内や会社内等の屋内に限定するものではなく、他の場所にあるＡＶ機器からサーバにアクセス可能とすることにより、同様に、容易に前回の状態を復帰継続することや視聴制限を行うことが可能となる。
【図面の簡単な説明】
【００４３】
【図１】携帯端末を用いた制御システムの一例を示す概略構成図である。
【図２】ＡＶ機器における制御手順の一例を示すフローチャートである。
【図３】メニュー情報の表示画面の一例である。
【図４】コンテンツリストの表示画面の一例である。
【図５】操作履歴データの一例である。
【図６】コンテンツの視聴可否を示す表示画面の例である。
【図７】操作履歴データの他の例である。
【図８】サーバにメモリを設けた場合の制御イメージ例を示す図である。
【図９】携帯端末を用いた制御システムの一例を示す概略構成図である。
【符号の説明】
【００４４】
１…携帯端末、１０１…キー入力部、１０２…制御部、１０３…メモリ、１０４…無線信号送信部、１０５…通信部、２…AV機器、２０１…無線信号受信部、２０２…制御部、２０３…メモリ、２０４…データ再生部、２０５…データ記録媒体、３…表示装置、４…AV機器、４０１…無線信号受信部、４０２…制御部、４０３…データ再生部、４０４…送受信部、５…表示装置、６…サーバ、６０１…メモリ、６０２…データ記録媒体、６０３…制御部、６０４…送受信部、７…AV機器、８…表示装置
【図１】
2006311165.tif 000003
【図２】
2006311165.tif 000004
【図３】
2006311165.tif 000005
【図４】
2006311165.tif 000006
【図５】
2006311165.tif 000007
【図６】
2006311165.tif 000008
【図７】
2006311165.tif 000009
【図８】
2006311165.tif 000010
【図９】
2006311165.tif 000011